(57)【要約】【課題】立体映像を構成する右眼用画像と左眼用画像を立体視する際の動きぼけを低減するための技術を提供する。【解決手段】本発明の画像処理装置は、立体映像のフレームレートを該フレームレートのＮ倍（Ｎは１より大きい整数）のフレームレートに変換する変換手段と、フレームレートが変換された立体映像の各フレームの画像を高周波画像または低周波画像に変換して出力する出力手段と、を有する画像処理装置であって、変換手段は、立体映像を構成する一対の左眼用画像と右眼用画像を変換後のフレームレートでそれぞれＮ回出力し、出力手段は、変換手段から出力された一対の左眼用画像と右眼用画像のフレームである２×Ｎ枚のフレームのうち、少なくとも１組の連続する左眼用画像のフレームと右眼用画像のフレームの画像を高周波画像に変換し、残りのフレームの画像を低周波画像に変換して出力する。【選択図】図１
2011248323.tif 000002
【特許請求の範囲】
【請求項１】
右眼用画像のフレームと左眼用画像のフレームからなる立体映像のフレームレートを該フレームレートのＮ倍（Ｎは１より大きい整数）のフレームレートに変換する変換手段と、
フレームレートが変換された立体映像の各フレームの画像を、所定の低周波帯域の成分をカット又は減少させた高周波画像、または所定の高周波帯域の成分をカット又は減少させた低周波画像に変換して出力する出力手段と、
を有する画像処理装置であって、
前記変換手段は、立体映像を構成する一対の左眼用画像と右眼用画像を変換後のフレームレートでそれぞれＮ回出力し、
前記出力手段は、前記変換手段から出力された前記一対の左眼用画像と右眼用画像のフレームである２×Ｎ枚のフレームのうち、少なくとも１組の連続する左眼用画像のフレームと右眼用画像のフレームの画像を前記高周波画像に変換し、残りのフレームの画像を前記低周波画像に変換して出力する
ことを特徴とする画像処理装置。
【請求項２】
前記出力手段は、フレームレートが変換された立体映像の各フレームから前記高周波画像と前記低周波画像を生成し、フレーム毎に前記高周波画像と前記低周波画像のいずれかを選択して出力する
ことを特徴とする請求項１に記載の画像処理装置。
【請求項３】
前記変換手段は、左眼用画像と右眼用画像を変換後のフレームレートで交互に出力する処理をＮ回繰り返す
ことを特徴とする請求項１または２に記載の画像処理装置。
【請求項４】
前記変換手段は、左眼用画像をＮ回続けて出力する処理と右眼用画像をＮ回続けて出力する処理とを順番に行う
ことを特徴とする請求項１または２に記載の画像処理装置。
【請求項５】
前記立体映像を構成する一対の左眼用画像と右眼用画像は、同じ時刻に撮影された画像である
ことを特徴とする請求項１〜４のいずれか１項に記載の画像処理装置。
【請求項６】
右眼用画像のフレームと左眼用画像のフレームからなる立体映像のフレームレートを該フレームレートのＮ倍（Ｎは１より大きい整数）のフレームレートに変換する変換ステップと、
フレームレートが変換された立体映像の各フレームの画像を、所定の低周波帯域の成分をカット又は減少させた高周波画像、または所定の高周波帯域の成分をカット又は減少させた低周波画像に変換して出力する出力ステップと、を有する画像処理装置の制御方法であって、
前記変換ステップでは、立体映像を構成する一対の左眼用画像と右眼用画像を変換後のフレームレートでそれぞれＮ回出力し、
前記出力ステップでは、前記変換ステップで出力された前記一対の左眼用画像と右眼用画像のフレームである２×Ｎ枚のフレームのうち、少なくとも１組の連続する左眼用画像のフレームと右眼用画像のフレームの画像を前記高周波画像に変換し、残りのフレームの画像を前記低周波画像に変換して出力する
ことを特徴とする画像処理装置の制御方法。
【発明の詳細な説明】
【技術分野】
【０００１】
本発明は、画像処理装置及びその制御方法に関する。
【背景技術】
【０００２】
従来、二眼式カメラを用いて同じ時刻に撮影された視差のある右眼用画像と左眼用画像を交互に表示し、シャッタ付きメガネを用いて、右眼で右眼用画像を、左眼で左眼用画像を視聴し、それらの画像を立体視するシステムが提案されている（特許文献１）。
また、動画の動きぼけを改善するための技術として、駆動分配方式が提案されている（特許文献２）。特許文献２に開示の技術では、元映像のフレームレートが２倍に変換される。その後、連続する２フレームのうち、一方のフレームの画像をハイパスフィルタに通すことにより、高周波成分を多く含む高周波画像が生成される。それとともに、他方のフレームの画像をローパスフィルタに通すことにより、低周波成分を多く含む低周波画像が生成される。そして、高周波画像と低周波画像が交互に表示される。このように、元映像のフレームレートを２倍にして、連続する２フレームのうち、一方のフレームで高周波成分を表示し、他方のフレームで低周波成分を表示することにより、二重像を防止し、またフリッカを低減することができる。
【０００３】
しかしながら、特許文献１には、立体視システムに上記駆動分配方式を適用することについては記載されておらず、立体映像を構成する右眼用画像と左眼用画像を立体視する際の動きぼけを低減する技術は記載されていない。特許文献２には、元映像が立体映像である場合について記載されていない。
【先行技術文献】
【特許文献】
【０００４】
【特許文献１】特開２００１−３２０７３４号公報
【特許文献２】特開２００２−３５１３８２号公報
【発明の概要】
【発明が解決しようとする課題】
【０００５】
本発明は、立体映像を構成する右眼用画像と左眼用画像を立体視する際の動きぼけを低減するための技術を提供することを目的とする。
【課題を解決するための手段】
【０００６】
本発明の画像処理装置は、右眼用画像のフレームと左眼用画像のフレームからなる立体映像のフレームレートを該フレームレートのＮ倍（Ｎは１より大きい整数）のフレームレートに変換する変換手段と、フレームレートが変換された立体映像の各フレームの画像を、所定の低周波帯域の成分をカット又は減少させた高周波画像、または所定の高周波帯域の成分をカット又は減少させた低周波画像に変換して出力する出力手段と、を有する画像処理装置であって、前記変換手段は、立体映像を構成する一対の左眼用画像と右眼用画像を変換後のフレームレートでそれぞれＮ回出力し、前記出力手段は、前記変換手段から出力された前記一対の左眼用画像と右眼用画像のフレームである２×Ｎ枚のフレームのうち、少なくとも１組の連続する左眼用画像のフレームと右眼用画像のフレームの画像を前記高周波画像に変換し、残りのフレームの画像を前記低周波画像に変換して出力することを特徴とする。
【０００７】
本発明の画像処理装置の制御方法は、右眼用画像のフレームと左眼用画像のフレームからなる立体映像のフレームレートを該フレームレートのＮ倍（Ｎは１より大きい整数）の
フレームレートに変換する変換ステップと、フレームレートが変換された立体映像の各フレームの画像を、所定の低周波帯域の成分をカット又は減少させた高周波画像、または所定の高周波帯域の成分をカット又は減少させた低周波画像に変換して出力する出力ステップと、を有する画像処理装置の制御方法であって、前記変換ステップでは、立体映像を構成する一対の左眼用画像と右眼用画像を変換後のフレームレートでそれぞれＮ回出力し、前記出力ステップでは、前記変換ステップで出力された前記一対の左眼用画像と右眼用画像のフレームである２×Ｎ枚のフレームのうち、少なくとも１組の連続する左眼用画像のフレームと右眼用画像のフレームの画像を前記高周波画像に変換し、残りのフレームの画像を前記低周波画像に変換して出力することを特徴とする。
【発明の効果】
【０００８】
本発明によれば、立体映像を構成する右眼用画像と左眼用画像を立体視する際の動きぼけを低減することができる。
【図面の簡単な説明】
【０００９】
【図１】本実施例に係る画像処理装置の機能構成を示すブロック図。
【図２】フレームレート変換を説明するための図。
【図３】実施例１に係る各種情報と、その出力タイミングの一例を示す図。
【図４】実施例１に係る出力画像選択部の制御方法の一例を示す図。
【図５】実施例２に係る各種情報と、その出力タイミングの一例を示す図。
【図６】実施例２に係る出力画像選択部の制御方法の一例を示す図。
【図７】実施例２に係る各種情報と、その出力タイミングの一例を示す図。
【図８】実施例３に係る各種情報と、その出力タイミングの一例を示す図。
【発明を実施するための形態】
【００１０】
＜実施例１＞
以下、本発明の実施例１に係る画像処理装置及びその制御方法について説明する。
図１は、本実施例に係る画像処理装置の機能構成を示すブロック図である。
【００１１】
フレームレート変換部１は、入力映像信号のフレームレートを高フレームレート化する処理を行う。具体的には、右眼用画像のフレームと左眼用画像のフレームからなる立体映像のフレームレートを該フレームレートのＮ倍（Ｎは１より大きい整数）のフレームレートに変換する。本実施例では、Ｎ＝２とする。入力映像信号は、右眼用画像のフレームと左眼用画像のフレームが交互に並んだ映像の信号であり、不図示のコンテンツ再生部から入力される。フレームレート変換部１には、入力映像信号の他にＬＲ情報が入力される。ＬＲ情報は、入力されたフレームの画像が右眼用画像か左眼用画像かを示す情報であり、入力映像信号の垂直同期信号に同期して切り換わる。例えば、左眼用画像にはＬ、右眼用画像にはＲという情報がＬＲ情報として付加されている。
【００１２】
図１に示すように、フレームレート変換部１は、フレームレート制御部２、書き込みＤＭＡ部３、読み出しＤＭＡ部４、メモリ部５を有する。
フレームレート制御部２には、入力映像信号とＬＲ情報がフレーム単位で入力される。フレームレート制御部２は、書き込みＤＭＡ部３や読み出しＤＭＡ部４を制御して、入力映像信号のフレームレートを高める処理（フレームレート変換）を行う。
書き込みＤＭＡ部３は、フレームレート制御部２に入力された画像とそのＬＲ情報を読み出してメモリ部５へ記録する。
メモリ部５は、磁気ディスク、揮発性メモリ、不揮発性メモリなどの記憶装置である。読み出しＤＭＡ部４は、フレームレート制御部２で決定されたフレームレートで、メモリ部５に記録された画像を読み出し、出力する。
【００１３】
読み出しＤＭＡ部４は、立体映像を構成する一対の左眼用画像と右眼用画像を変換後のフレームレートでそれぞれＮ回読み出し、出力する。本実施例では、左眼用画像と右眼用画像を変換後のフレームレートで交互に読み出し、出力する処理をＮ回繰り返す。具体的には、本実施例ではＮ＝２であるため、読み出しＤＭＡ部４は、左眼用画像と右眼用画像を入力映像信号のフレームレートの２倍のフレームレートで交互に読み出し、出力する処理を２回繰り返す。立体映像を構成する一対の左眼用画像と右眼用画像は、例えば、同じ時刻に撮影された画像である。但し、これに限らず、左眼用画像を左眼で、右眼用画像を右眼で見ることでそれらの画像を立体視することができればよい。
【００１４】
高周波画像生成部６、低周波画像生成部７、出力画像制御部８、及び、出力画像選択部９は、フレームレートが変換された立体映像の各フレームの画像を高周波画像または低周波画像に変換して出力する。なお、高周波画像は高周波成分が強調された画像であり、低周波画像は低周波成分が強調された画像である。
【００１５】
高周波画像生成部６は、フレームレート変換部１でフレームレートが変換されて出力された各フレームの画像に対し空間的な高周波成分を取得するためのフィルタ処理を行い、高周波画像を生成する。
低周波画像生成部７は、フレームレート変換部１でフレームレートが変換されて出力された各フレームの画像に対し空間的な低周波成分を取得するためのフィルタ処理を行い、低周波画像を生成する。
即ち、本実施例では、フレームレートが変換された立体映像の各フレームから高周波画像と低周波画像を生成する。
高周波画像生成部６は、例えば、所定の低周波帯域の成分をカット又は減少させるハイパス特性を有するフィルタ処理を実行する。低周波画像生成部７は、例えば、所定の高周波帯域の成分をカット又は減少させるローパス特性を有するフィルタ処理を実行する。
【００１６】
出力画像制御部８は、表示部１１に出力する画像（出力画像）と後述する立体視メガネ１２のシャッタの開閉を制御する。具体的には、出力画像制御部８はフレームレート変換後の垂直同期信号、ＬＲ情報、フレームレート変換部１の遅延量などに基づいて、表示部１１に出力する画像を表す出力画像選択信号及びシャッタの開閉のタイミングを表す開閉タイミング信号を生成する。フレームレート変換部１の遅延量は、フレームレートを変換する際の入力に対する出力の遅延量である。
【００１７】
出力画像選択部９は、フレーム毎に高周波画像と低周波画像のいずれかを選択して出力する。具体的には、高周波画像と低周波画像を出力画像制御部８が生成する出力画像選択信号に応じて切り替えて出力する。
メガネ制御部１０は、出力画像制御部８が生成する開閉タイミング信号に応じて立体視メガネ１２のシャッタの開閉を制御するための信号を立体視メガネ１２に出力する。開閉タイミング信号は、シャッタの開閉のタイミングを表す信号であってもよいし、出力画像選択信号と同じ信号であってもよい。開閉タイミング信号がシャッタの開閉のタイミングを表す信号である場合には、メガネ制御部１０は、該信号をそのまま出力すればよい。開閉タイミング信号が出力画像選択信号と同じ信号である場合には、メガネ制御部１０は、開閉タイミング信号が右眼用画像を示す場合に、右眼のシャッタを開いて左眼のシャッタを閉じるような信号を出力すればよい。開閉タイミング信号が左眼用画像を示す場合には、左眼のシャッタを開いて右眼のシャッタを閉じるような信号を出力すればよい。
【００１８】
表示部１１は、出力画像選択部９から出力された画像を表示する。視聴者は、立体視メガネ１２を着用して表示部１１に表示された映像を視聴することで、立体映像を視聴することができる。なお、表示部１１は画像処理装置とは別体の装置であってもよい。
立体視メガネ１２は、右眼用画像を右眼で、左眼用画像を左眼で視聴するためのシャッ
タと、該シャッタを制御するシャッタ制御部を有する。
【００１９】
本実施例では、入力映像信号を高フレームレート化することにより、右眼用画像と左眼用画像の表示時刻が近づけられる。それにより、立体映像を構成する一対の画像を立体視する際の動きぼけを低減することができる。
しかしながら、同じ画像をＮ回出力して入力映像信号のフレームレートをＮ倍に変換すると、右眼用画像間、左眼用画像間で二重像が発生してしまう。そこで本実施例では、フレームレートが変換された立体映像内で連続する２×Ｎ枚のフレームのうち、右眼用画像のフレームと左眼用画像のフレームが連続する２枚（１組）のフレームの画像が高周波画像に変換されて表示部１１に出力されるような制御を行う。また、上記２×Ｎ枚のフレームの残りのフレームの画像が低周波画像に変換されて表示部１１に出力されるような制御を行う。このような制御を行うことにより、二重像の発生を抑制することができる。
【００２０】
図２は、フレームレート変換を説明するための図である。
図中、入力垂直同期信号は、入力映像信号の垂直同期信号である。実施例１では、入力映像信号の垂直同期周波数（フレームレート）を１２０Ｈｚとする。
【００２１】
フレームレート制御部２は、入力映像信号の左眼用画像Ｌｎ（ｎはフレームの番号を表す）と右眼用画像Ｒｎを、書き込みＤＭＡ部３を用いてメモリ部５へ書き込む。書き込みＤＭＡ部３は、左眼用画像Ｌ１をアドレスａに、右眼用画像Ｒ１をアドレスｂに、左眼用画像Ｌ２をアドレスｃに、右眼用画像Ｒ２をアドレスｄに順に記録する。
【００２２】
そして、フレームレート制御部２は、入力映像信号のフレームレートの２倍のフレームレートに対応する垂直同期信号（表示垂直同期信号）を生成する。表示垂直同期信号は、表示する映像の垂直同期信号（フレームレート変換後の垂直同期信号）である。本実施例では、Ｎ＝２であるため、表示する映像の垂直同期周波数は２４０Ｈｚとなる。
【００２３】
読み出しＤＭＡ部４は、フレームレート制御部２で生成された表示垂直同期信号のタイミングに合わせて（表示垂直同期信号に同期して）、左眼用画像Ｌ１と右眼用画像Ｒ１を交互にメモリ部５から読み出す。図２の例では、左眼用画像Ｌ２の入力のタイミングで画像の読み出しが開始される。読み出しＤＭＡ部４は、左眼用画像Ｌ１と右眼用画像Ｒ１を交互に出力する処理を２回繰り返す。このような出力処理をフレームの対毎に行うことにより、入力映像信号がフレームレート変換されて出力される。
【００２４】
なお、図２の例では、１回目の出力を左眼用画像Ｌｎ−１、右眼用画像Ｒｎ−１と表記し、２回目の出力を左眼用画像Ｌｎ−２、右眼用画像Ｒｎ−２と表記している。
また、メモリ部５の画像が書き込まれる空間（アドレス）と画像を読み出す際にアクセスされる空間は、例えば、フレームレート制御部２が書き込みＤＭＡ部３、読み出しＤＭＡ部４を制御することによって選択される。
【００２５】
図３は、実施例１に係る各種情報と、その出力タイミングを示す図である。
書き込みＤＭＡデータは、書き込みＤＭＡ部３が右眼用画像Ｒｎと左眼用画像Ｌｎをメモリ部５へ書き込むタイミングを示している。ＷｒｉｔｅＬｎは左眼用画像Ｌｎをメモリ部５へ書き込むタイミング、ＷｒｉｔｅＲｎは右眼用画像Ｒｎをメモリ部５へ書き込むタイミングをそれぞれ示している。
【００２６】
読み出しＤＭＡデータは、読み出しＤＭＡ部４がメモリ部５から右眼用画像Ｒｎ、左眼用画像Ｌｎを読み出すタイミングを示している。ＲｅａｄＬｎはメモリ部５から左眼用画像Ｌｎを読み出すタイミング、ＲｅａｄＲｎはメモリ部５から右眼用画像Ｒｎを読み出すタイミングをそれぞれ示している。
【００２７】
出力画像選択信号は出力画像制御部８の生成する信号であり、この信号によって高周波画像と低周波画像が切り替えられて表示部１１に出力される。具体的には、出力画像選択信号のレベルがＨｉｇｈならば高周波画像が選択されて出力され、Ｌｏｗならば低周波画像が選択されて出力される。メガネ制御信号は、メガネ制御部１０が出力する信号であり、立体視メガネ１２のシャッタを制御するタイミングを示す。メガネ制御信号がＬならば、左眼のシャッタが開いて、右眼のシャッタが閉じる。メガネ制御信号がＲならば、左眼のシャッタが閉じて、右眼のシャッタが開く。
【００２８】
出力画像制御部８は、表示垂直同期信号の２周期の間に高周波画像である左眼用画像と右眼用画像を出力するように出力画像選択部９の制御を行う。それにより、左眼用高周波画像ＬｎＨ（左眼用画像から生成された高周波画像）のフレームと右眼用高周波画像ＲｎＨ（右眼用画像から生成された高周波画像）のフレームが連続して出力される。
【００２９】
ところで、出力画像選択部９が左眼用高周波画像Ｌ１Ｈ、右眼用低周波画像Ｒ１Ｌ、左眼用低周波画像Ｌ１Ｌ、右眼用高周波画像Ｒ１Ｈ、左眼用高周波画像Ｌ２Ｈ・・・の順にフレームの画像を出力する場合も考えられる。しかし、この場合は、一対の左眼用画像と右眼用画像から生成された高周波画像間（Ｌ１ＨとＲ１Ｈの間）の表示時刻の差が大きくなり、また右眼用高周波画像Ｒ１Ｈの表示直後に左眼用高周波画像Ｌ２Ｈが表示されるため、動きぼけを改善することが出来なくなる。
また、出力画像選択部９が左眼用高周波画像Ｌ１Ｈ、右眼用低周波画像Ｒ１Ｌ、左眼用高周波画像Ｌ１Ｈ、右眼用低周波画像Ｒ１Ｌ、左眼用高周波画像Ｌ２Ｈ・・・の順にフレームの画像を出力する場合も考えられる。しかし、この場合は、左眼用画像が全て高周波画像になり、右眼用画像が全て低周波画像になってしまうので、左眼で見える画像と右眼で見える画像とのバランスが崩れてしまい、好ましくない。
そこで本実施例では、一対の左眼用画像と右眼用画像のフレームである２×Ｎ枚のフレームのうち、右眼用画像のフレームと左眼用画像のフレームが連続する２枚（１組）のフレームの画像が高周波画像に変換されて表示部１１に出力されるような制御を行う。また、上記２×Ｎ枚のフレームの残りのフレームの画像が低周波画像に変換されて表示部１１に出力されるような制御を行う。
【００３０】
図４は、実施例１に係る出力画像選択部９の出力の制御方法を説明するための図である。
フレームレート制御部２は、入力映像信号の垂直同期信号（ＶＬｎ，ＶＲｎ）をフレームレート変換部１の遅延量分遅らせたＤｅｌａｙ信号（ＶＬｎｄ，ＶＲｎｄ）を生成する。なお、本実施例では、一対の左眼用画像と右眼用画像が入力された後にそれらの画像の出力が行われるため、遅延量は入力映像信号の２フレーム分となる。
そして、フレームレート制御部２は、Ｄｅｌａｙ信号から一部の信号を取り除くことにより基準タイミング信号（Ｖｒｎ）を生成する。基準タイミング信号は、出力する左眼用画像と右眼用画像の対（高周波画像と低周波画像の元となる一対の左眼用画像と右眼用画像）の切り替えタイミングを示す信号である。例えば、Ｄｅｌａｙ信号が１２０Ｈｚの信号である場合には、２回に１回のタイミングで存在するＤｅｌａｙ信号を取り除き、６０Ｈｚの基準タイミング信号を生成する。
【００３１】
出力画像制御部８は、出力画像選択信号を、基準タイミング信号と表示垂直同期信号（Ｖｒｎａ〜Ｖｒｎｃ）を用いて生成する。本実施例では、Ｖｒ１のタイミングから２フレーム分の期間（Ｖｒ１ａ〜Ｖｒ１ｃの期間）では出力画像選択信号をＨｉｇｈにし、それ以外の期間（Ｖｒ１ｃ〜Ｖｒ２ａの期間）では出力画像選択信号をＬｏｗにする。これを基準タイミング信号毎に繰り返して、出力画像選択信号を生成する。それにより、基準タイミング毎に一対の左眼用画像と右眼用画像から生成された左眼用高周波画像のフレーム
と右眼用高周波画像のフレームを連続して出力画像選択部９から出力することができ、動きぼけを抑制することができる。
【００３２】
以上述べたように、本実施例によれば、一対の左眼用画像と右眼用画像のフレームである２×Ｎ枚のフレームのうち、右眼用画像のフレームと左眼用画像のフレームが連続する２枚（１組）のフレームの画像が高周波画像に変換されて出力される。また、上記２×Ｎ枚のフレームの残りのフレームの画像が低周波画像に変換されて出力される。それにより、立体映像を構成する２つの画像を立体視する際の動きぼけを抑制することができる。
より詳しくは、本実施例では、一対の左眼用画像と右眼用画像から生成された高周波画像と低周波画像が、左眼用高周波画像、右眼用高周波画像、左眼用低周波画像、右眼用低周波画像の順で出力される。それにより、立体映像を構成する２つの画像を立体視する際の動きぼけを抑制することができる。なお、左眼用低周波画像、右眼用低周波画像、左眼用高周波画像、右眼用高周波画像の順で出力する場合にも同様の効果が得られる。
【００３３】
なお、本実施例では入力映像信号が、左眼用画像のフレームと右眼用画像のフレームが交互に並んだ映像の信号である場合について説明したが、入力映像信号のフォーマットはこれに限らない。例えば、本実施例では、一対の画像のうち、左眼用画像が先に入力される構成としたが、右眼用画像が先に入力されてもよい。また、入力映像信号として右眼用画像からなる映像ストリームと左眼用画像からなる映像ストリームの２つの映像ストリームが入力される構成（２ストリーム入力）であってもよい。２ストリーム入力の場合には、右眼用の映像ストリームと左眼用の映像ストリームをメモリ部５に書き込み、右眼用画像と左眼用画像をそれぞれの映像ストリームから交互に読み出せばよい。
なお、本実施例では、フレームレートが変換された立体映像の各フレームから高周波画像と低周波画像を生成し、フレーム毎にそれらのいずれかを選択して出力する構成としたが、構成はこれに限らない。フレーム毎に高周波画像と低周波画像のいずれかを選択して生成し、出力する構成であってもよい。
【００３４】
＜実施例２＞
次に、本発明の実施例２に係る画像処理装置及びその制御方法について説明する。本実施例は、フレームレート変換部１が入力映像信号のフレームレートをその３倍のフレームレートに変換する場合（Ｎ＝３の場合）の例である。なお、本実施例の構成は、フレームレートを３倍以上のフレームレートに変換する場合に適用できる。
【００３５】
実施例２の装置構成は実施例１（図１）と同じであるため、説明は省略する。
図５は、実施例２に係る各種情報と、その出力タイミングを示す図である。
本実施例では、入力映像信号の垂直同期周波数を１２０Ｈｚ、表示する映像の垂直同期周波数を３６０Ｈｚとする。
出力画像制御部８は、一対の左眼用画像と右眼用画像のフレームである２×Ｎ枚のフレームのうち、右眼用画像のフレームと左眼用画像のフレームが連続する２枚（１組）のフレームの画像が高周波画像に変換されて表示部１１に出力されるような制御を行う。また、上記２×Ｎ枚のフレームの残りのフレームの画像が低周波画像に変換されて表示部１１に出力されるような制御を行う。
【００３６】
図６は、実施例２に係る出力画像選択部９の出力の制御方法を説明するための図である。
基準タイミング信号を生成するまでの処理は実施例１と同じであるため、説明は省略する。
出力画像制御部８は、出力画像選択信号を、基準タイミングと表示垂直同期信号（Ｖｒｎａ〜Ｖｒｎｆ）を用いて生成する。本実施例では、Ｖｒ１のタイミングから２フレーム分の期間（Ｖｒ１ａ〜Ｖｒ１ｃの期間）では出力画像選択信号をＨｉｇｈにし、それ以外
の期間（Ｖｒ１ｃ〜Ｖｒ２ａの期間）では出力画像選択信号をＬｏｗにする。
なお、出力画像制御部８の生成する出力画像選択信号の出力タイミングはこれに限らない。一対の左眼用画像と右眼用画像から生成された左眼用高周波画像のフレームと右眼用高周波画像のフレームが連続して出力されればよい。例えば、図６の例では、Ｖｒ１ａとＶｒ１ｂのタイミングで左眼用高周波画像と右眼用高周波画像が出力されているが、Ｖｒ１ｃとＶｒ１ｄのタイミングでそれらの画像が出力されるように出力選択信号を出力してもよい。その場合には、Ｖｒ１ａ，Ｖｒ１ｂ，Ｖｒ１ｅ，Ｖｒ１ｆのタイミングで低周波画像が出力されるように出力選択信号を出力すればよい。
なお、図５には、一対の左眼用画像と右眼用画像のフレームである２×Ｎ枚のフレームのうち、右眼用画像のフレームと左眼用画像のフレームが連続する２枚（１組）のフレームの画像が高周波画像に変換され、残りのフレームの画像が低周波画像に変換される場合を例示したが、本発明はこれに限定されるものではない。
一対の左眼用画像と右眼用画像のフレームである２×Ｎ枚のフレームのうち、少なくとも１組の連続する左眼用画像のフレームと右眼用画像のフレームの画像が高周波画像に変換され、残りのフレームの画像が低周波画像に変換されればよい。換言すれば、一対の左眼用画像と右眼用画像のフレームである２×Ｎ枚のフレームのうち、複数組の連続する左眼用画像のフレームと右眼用画像のフレームの画像が高周波画像に変換されてもよい。具体的には、図７に示すように、一対の左眼用画像と右眼用画像のフレームである２×Ｎ枚のフレームのうち、右眼用画像のフレームと左眼用画像のフレームが連続する４枚（２組）のフレームの画像が高周波画像に変換され、残りのフレームの画像が低周波画像に変換されるようにしてもよい。
【００３７】
以上述べたように、本実施例によれば、実施例１と同様に、立体映像を構成する２つの画像を立体視する際の動きぼけを抑制することができる。
【００３８】
＜実施例３＞
次に、本発明の実施例３に係る画像処理装置及びその制御方法について説明する。本実施例では、フレームレート変換部１（読み出しＤＭＡ部４）が左眼用画像をＮ回続けて出力する処理と右眼用画像をＮ回続けて出力する処理を順番に行う。
実施例３の装置構成は実施例１，２（図１）と同じであるため、説明は省略する。
【００３９】
図８は、実施例３に係る各種情報と、その出力タイミングを示す図である。
入力映像信号をメモリ部５へ書き込むまでの処理は実施例１，２と同様であるため、説明は省略する。本実施例では、実施例１，２よりも入力映像信号の１フレーム分少ない遅延量でメモリ部５から画像が読み出される。具体的には、一方の眼用の画像がメモリ部５に書き込まれた後に、他方の眼用の画像の書き込みと同じタイミングで、該一方の眼用の画像の読み出しが開始される。例えば、右眼用画像Ｒ０の次に左眼用画像Ｌ１が入力される場合には、右眼用画像Ｒ０の書き込みの後に左眼用画像Ｌ１の書き込みと同じタイミングで右眼用画像Ｒ０の読み出しが開始される。
【００４０】
読み出しＤＭＡ部４は、表示垂直同期信号に同期して、メモリ部５に記録された画像を読み出し、出力する。本実施例では、読み出しＤＭＡ部４は、左眼用画像Ｌｎ、左眼用画像Ｌｎ、右眼用画像Ｒｎ、右眼用画像Ｒｎの順にメモリ部５から画像を読み出し、出力する。
【００４１】
高周波画像生成部６、低周波画像生成部７は、それぞれ、読み出しＤＭＡ部４から出力された画像から高周波画像、低周波画像を生成する。
出力画像制御部８は、出力画像選択信号を生成して、該信号により出力画像選択部９を制御する。具体的には、一対の左眼用画像と右眼用画像のフレームである２×Ｎ枚のフレームのうち、右眼用画像のフレームと左眼用画像のフレームが連続する２枚（１組）のフ
レームの画像が高周波画像に変換されて表示部１１に出力されるような制御を行う。また、上記２×Ｎ枚のフレームの残りのフレームの画像が低周波画像に変換されて表示部１１に出力されるような制御を行う。
出力画像選択部９は、出力画像選択信号に応じて出力する画像を選択し、表示部１１に出力する。
【００４２】
以上述べたように、本実施例によれば、左眼用画像をＮ回続けて出力する処理と右眼用画像をＮ回続けて出力する処理を順番に行うことによってフレームレート変換後の立体映像が生成される。そして、このような場合においても、実施例１と同様に、立体映像を構成する２つの画像を立体視する際の動きぼけを抑制することができる。
より詳しくは、本実施例では、一対の左眼用画像と右眼用画像から生成された高周波画像と低周波画像が、左眼用低周波画像、左眼用高周波画像、右眼用高周波画像、右眼用低周波画像の順で出力される。それにより、立体映像を構成する２つの画像を立体視する際の動きぼけを抑制することができる。
【符号の説明】
【００４３】
１  フレームレート変換部
６  高周波画像生成部
７  低周波画像生成部
８  出力画像制御部
９  出力画像選択部
【図１】
2011248323.tif 000003
【図２】
2011248323.tif 000004
【図３】
2011248323.tif 000005
【図４】
2011248323.tif 000006
【図５】
2011248323.tif 000007
【図６】
2011248323.tif 000008
【図７】
2011248323.tif 000009
【図８】
2011248323.tif 000010